(57)【要約】 【課題】動力伝達部材の小さい変位で装飾部材を大きく回動させることができる遊技機の可動装飾装置を提供する。【解決手段】回転ボス部２１から延伸する装飾部２３を備えた装飾部材２と、装飾部材２と係合してプランジャ３１の直線運動により装飾部２３を回動させるソレノイド３と、からなる遊技機の可動装飾装置であって、プランジャ３１には、嵌合穴３３を有する板状の動力伝達部材３２を連設し、回転ボス部２１には、嵌合穴３３に差し込まれ、動力伝達部材３２を回転ボス部２１に摺接可能とする円弧状の湾曲部６３を有する、鈎型の突出片２４を設けて、突出片２４を嵌合穴３３に差し込むことにより、動力伝達部材３２を回転ボス部２１に摺動可能に係合させた。【選択図】図１
2008302046.tif 000002
【特許請求の範囲】
【請求項１】
回転ボス部から延伸する装飾部を備えた装飾部材と、装飾部材と係合して運動部材の直線運動により前記装飾部を回動させる駆動装置と、からなる遊技機の可動装飾装置であって、
前記運動部材には、嵌合穴を有する板状の動力伝達部材を連設し、
回転ボス部には、嵌合穴に差し込まれ、動力伝達部材を回転ボス部に摺接可能とする円弧状の湾曲部を有する、鈎型の突出片を設けて、
突出片を嵌合穴に差し込むことにより、
動力伝達部材を回転ボス部に摺動可能に係合させたことを特徴とする遊技機の可動装飾装置。
【請求項２】
突出片の先端に、動力伝達部材が突出片から抜け出すのを防止する規制部を設け、規制部と回動ボス部の外周との間に動力伝達部材を挟み込んだ請求項１に記載の遊技機の可動装飾装置。
【請求項３】
駆動装置をソレノイドとし、運動部材をプランジャとして、ソレノイドが励磁された時に装飾部材が装飾状態に回動されるものとしたうえに、
ソレノイドが非励磁の時に装飾部材を非装飾状態に回動させるためのバネを、突出片の先端に掛着した請求項２に記載の遊技機の可動装飾装置。
【発明の詳細な説明】
【技術分野】
【０００１】
本発明は、遊技機に設けられ遊技の状態に応じた演出を行うための、遊技機の可動装飾装置に関するものである。
【背景技術】
【０００２】
パチンコ機やスロットマシン等の遊技機には、遊技領域の略中央に変動図柄表示装置が設けられており、興趣を高めるために前記図柄表示装置の表示画面に表示される図柄によってリーチ等の遊技の状態に応じた演出を行っている。また、装飾部材を可動することによって遊技の状態に応じた演出を行う可動装飾装置を備えることで、さらに興趣を高めようとしたものも、例えば特許文献１として知られている。
【０００３】
上記開示に係るものにおいては、アームの一端に装飾部材が支軸を介して軸着されており、アーム部材の他端はソレノイドのプランジャに軸着されている。そして、プランジャが後退することによって支軸を中心として装飾部材が回動する構成となっている。
【０００４】
この構成において装飾部材の回動する角度を大きく変化させようとした場合、プランジャが進退移動する距離（ストローク）を長くする方法が考えられる。しかし、この方法ではプランジャの長さをその分増大させなければならず、またソレノイド自体も大型化する必要が生じて好ましくない。また、アームを短くしてプランジャ先端の支軸と装飾部材の支軸とを接近させる方法も考えられる。しかし、支軸には各部材が移動する力が作用するので、支軸をボス構造とした場合には所要の太さのものとして強度を確保する必要がある。このため、二つの支軸の中心を接近させることには、限界があるものであった。
【特許文献１】特開２００２−０５８７９８号公報
【発明の開示】
【発明が解決しようとする課題】
【０００５】
本発明は、上記した従来の問題点に鑑み、直線運動する動力伝達部材の小さい変位で装飾部材を大きく回動させることができる遊技機の可動装飾装置を提供することを課題とする。
【課題を解決するための手段】
【０００６】
上記の課題を解決するためになされた本発明に係る遊技機の可動装飾装置は、回転ボス部から延伸する装飾部を備えた装飾部材と、装飾部材と係合して運動部材の直線運動により前記装飾部を回動させる駆動装置と、からなる遊技機の可動装飾装置であって、
前記運動部材には、嵌合穴を有する板状の動力伝達部材を連設し、
回転ボス部には、嵌合穴に差し込まれ、動力伝達部材を回転ボス部に摺接可能とする円弧状の湾曲部を有する、鈎型の突出片を設けて、
突出片を嵌合穴に差し込むことにより、
動力伝達部材を回転ボス部に摺動可能に係合させたことを特徴とするものである。
【０００７】
上記した可動装飾装置において、突出片の先端に、動力伝達部材が突出片からの抜け出すのを防止する規制部を設けるのが望ましく、また、駆動装置をソレノイドとし、運動部材をプランジャとして、ソレノイドが励磁された時に装飾部材が装飾状態に回動されるものとしたうえに、ソレノイドが非励磁の時に装飾部材を非装飾状態に回動させるためのバネを、突出片の先端に掛着することができる。
【発明の効果】
【０００８】
請求項１に係る発明は、突出片に回動力が掛かる作用点を、回転ボス部の外周から動力伝達部材の厚みの半分だけ離れた点、つまり湾曲部の円弧の中心点である仮想の点とすることができるので、支軸中心と作用点との距離を最小限にすることができる。よって、駆動装置の運動部材のストロークを大きくしたりすることなく、可動範囲を広げることができるという利点がある。また、作用点を仮想の点とすることで作用軸及び作用軸用のボス部等を別途設ける必要が無いため、部品点数が少なく構造が簡単になるという利点がある。
請求項２に係る発明は、湾曲部の先に設けた規制部で動力伝達部材と突出片との係合が外れるのを防止し、さらに規制部と回転ボス部の外周とで動力伝達部材を挟み込むことで、支軸中心と作用点との距離を一定に保ちなめらかに上下回動させることができる。
請求項３に係る発明は、プランジャを戻すためのバネを従来のようにプランジャに取り付けるのではなく、突出片の先端に設けたので、可動装飾装置全体のがたつきを抑えて装飾部材をなめらかに上下回動させることができる。
【発明を実施するための最良の形態】
【０００９】
以下に、本発明の実施形態を図面に基づき詳細に説明する。
図１、２において、１は表示画面、２は装飾部材、３は装飾部材を駆動させる駆動装置、すなわちソレノイドである。図１、２の状態において、ソレノイド３は非励磁状態であって、装飾部材２は、表示画面１の前面から退却した状態にある。
【００１０】
装飾部材２は、回転軸２２に軸支される回転ボス部２１と、回転ボス部２１から放射方向に延伸するロッド状の装飾部２３と、回転ボス部２１から鈎型に湾曲して延出した突出片２４と、回動停止片２５とを備える。突出片２４には、突出片２４を下方に付勢するバネ４が取り付けられている。
【００１１】
ソレノイド３は、直線運動する運動部材すなわちプランジャ３１を備えており、この先に板状の動力伝達部材３２がピン３６とＥリング３７を使って連設されている。動力伝達部材３２は、その下端近傍に、図３、４に示すような角形の嵌合穴３３を有し、この嵌合穴３３に突出片２４が差し込まれることによって、突出片２４と動力伝達部材３２とは係合している。動力伝達部材３２は可撓性を有する。また、嵌合穴３３の下部には、蒲鉾型の半円柱部３４が横設されている。その詳細は後述する。
【００１２】
図１、２の状態においては、ソレノイド３は非励磁であって、突出片２４がバネ４により下方に引かれて、装飾部２３は上方に回動し、表示画面１の前面から退却している。装飾部２３は、上側ストッパー５１に回動を規制されている。
【００１３】
ソレノイド３が励磁されたときには、図５、６に示すように、バネ４の付勢に抗してプランジャ３１の吸引とともに動力伝達部材３２が上昇される。これによって、突出片２４が上方に回動されるので回転ボス部２２が回動されることによって装飾部２３は下向きに回動され、表示画面１の前面に進出することになる。なお、装飾部材２の回動は、回動停止片２５が下側ストッパー５２に当接することによって停止される。
【００１４】
装飾部材２は、遊技の状態に対応してソレノイド３が励磁、非励磁となることにより、上下回動を繰り返して表示画面１を装飾する。装飾部材２を表示画面１の上方に設けて、装飾部２３が下を向いて揺動するようにしてもよい。
【００１５】
以下に、突出片２４と動力伝達部材３２の係合状態について詳細に説明する。
図７〜９には、装飾部材２の回転ボス部２１近傍の詳細構造を示す。回転ボス部２１は、回転軸２２が装着される軸穴６１を有する円筒状のものであって、その側面から装飾部２３が放射方向に延出している。突出片２４は、回転ボス部２４に隣接する取り付け基部６２と、下向きの湾曲部６３と、その先の規制部６４とからなる。湾曲部６３の内側と外側には、内側湾曲側面６５と外側湾曲側面６６が円弧状に形成されている。二つの円弧は中心点をＰ点として同心である。突出片２４の左右には、補強リブ６７が湾曲して設けられており、半円柱部３４との接触面積を増やしている。なお、半円柱部３４の半径は、内側湾曲側面６５の半径とほぼ同じである。
【００１６】
規制部６４は、湾曲部６３よりさらに先に延出しており、突出片２４に挿着された動力伝達部材３２が抜け出すのを規制する。
【００１７】
突出片２４を動力伝達部材３２の嵌合穴３３に差し込むことによって、両者は係合するが、このとき、嵌合穴３３の半円柱部３４が湾曲部６３の内側側面６５と嵌合すると共に、嵌合穴３３の上部側面３５が湾曲部６３の外側側面６６に摺接する。そして、動力伝達部材３２は可撓性を有し、プランジャ３１と動力伝達部材３２とがわずかな遊びをもって連設されているので、ソレノイド３の励磁、非励磁により図１０に示すように、Ｐ点は仮想の作用点として円弧Ｐ−Ｑを描きながら上下動する。
【００１８】
動力伝達部材３２は回転ボス部２１の外周と規制部６４とに挟まれることで左右への動きを規制されながら摺接するように設けてあるので、支軸２２の中心点Ｏと仮想の作用点であるＰ点との距離を一定に保ちながら上下動する。なお、Ｐ点、Ｑ点において回転ボス部２１と動力伝達部材３２が摺接されるようにしてあるので、Ｐ点からＱ点への上昇の途中においては、円弧ＰＱが直線ＰＱより図中右に移動する分、回転ボス部２１の外周と動力伝達部材３２との間に隙間Ｓが生ずることとなる（図１１）。すなわち、このとき動力伝達部材３２はＳ分右に撓んでいる。
【００１９】
以上のように、突出片２４に回動力が掛かる作用点を、湾曲部の円弧の中心点Ｐである仮想の点とすることができるので、支軸２２の中心と作用点との距離を最小限にすることができる。よって、プランジャ３１のストロークを大きくすることなく装飾部材２３の回動を大きくすることができるという利点がある。
【図面の簡単な説明】
【００２０】
【図１】装飾部が退却状態にある可動装飾装置の正面図である。
【図２】装飾部が退却状態にある可動装飾装置の斜視図である。
【図３】動力伝達部材の正面図である。
【図４】図３のＡ−Ａ先断面図である。
【図５】装飾部が進出状態にある可動装飾装置の正面図である。
【図６】装飾部が進出状態にある可動装飾装置の斜視図である。
【図７】装飾部材の斜視図である。
【図８】装飾部材の側面図である。
【図９】装飾部材の正面図である。
【図１０】装飾部材の回動状態を説明する正面図である。
【図１１】隙間Ｓの説明図である。
【符号の説明】
【００２１】
２  装飾部材、３  ソレノイド、２１  回転ボス部、２３  装飾部、２４  突出片、３２  動力伝達部材、
【図１】
2008302046.tif 000003
【図２】
2008302046.tif 000004
【図３】
2008302046.tif 000005
【図４】
2008302046.tif 000006
【図５】
2008302046.tif 000007
【図６】
2008302046.tif 000008
【図７】
2008302046.tif 000009
【図８】
2008302046.tif 000010
【図９】
2008302046.tif 000011
【図１０】
2008302046.tif 000012
【図１１】
2008302046.tif 000013